(57)【要約】      （修正有）【課題】加湿装置や加湿空気清浄装置において、水槽部のお手入れ性を向上し、メンテナンス頻度も低減する。【解決手段】吸込口１２と吹出口を連絡する風路に配設された送風装置１５と、水槽部と、前記水槽部１９に一定量の水を供給する給水用水タンクと、円筒状に形成し、その中心軸を前記水槽部内の水面に並行に前記中心軸よりも下部に位置する部分を浸漬する円筒状の気化フィルタ２２と、前記気化フィルタ２２の回転を可能にする回転手段とにより構成され、前記送風装置１５によって前記吸込口１２から吸い込まれた空気を、前記気化フィルタ２２を通過させて、前記吹出口から吹き出す加湿装置１１において、自然吸上げ可能な材料を用いて形成したスケール集結部２４を前記水槽部１９内の水に浸漬することの無い一端を持つように、前記気化フィルタ２２の内周壁に対して凸状にかつ接して設ける構成にした。【選択図】図３
2015049003.tif 000002
【特許請求の範囲】
【請求項１】
室内の乾燥した空気を取入れる吸込口と室内に湿った空気を送る吹出口を有する本体ケースと、この本体ケース内に、前記吸込口と前記吹出口を連絡する風路に配設された送風装置と、水槽部と、前記水槽部に一定量の水を供給する給水用水タンクと、円筒状に形成し、その中心軸を前記水槽部内の水面に並行に前記中心軸よりも下部に位置する部分を浸漬する円筒状の気化フィルタと、前記気化フィルタの回転を可能にする回転手段とを備え、前記送風装置によって前記吸込口から吸い込まれた空気を、前記気化フィルタを通過させて、前記吹出口から吹き出す加湿装置において、自然吸上げ可能な材料を用いて形成したスケール集結部を前記水槽部内の水に浸漬することの無い一端を持つように、前記気化フィルタの内周壁に対して凸状にかつ接して設けることを特徴とする加湿装置。
【請求項２】
スケール集結部が円周方向に略等間隔で複数個設けられることを特徴とする請求項１に記載の加湿装置。
【請求項３】
スケール集結部が、気化フィルタの内側に脱着可能であることを特徴とする請求項１乃至２いずれかに記載の加湿装置。
【請求項４】
スケール集結部の位置を検出する位置検出手段を備え、その検出信号によって気化フィルタのスケール集結部に接する部分が水槽部に浸漬しないよう、気化フィルタの回転位置を調整させた後に加湿装置を停止させることを特徴とする請求項１乃至３いずれかに記載の加湿装置。
【請求項５】
請求項１乃至４いずれかに記載の加湿装置の気化フィルタの上流側に空気浄化フィルタを設けたことを特徴とする加湿機能付空気清浄装置。
【発明の詳細な説明】
【技術分野】
【０００１】
本発明は、乾燥した室内を加湿するための加湿装置および加湿機能付空気清浄装置に関するものである。
【背景技術】
【０００２】
従来、水槽部に浸水させた回転する加湿フィルタに通風させることで、加湿機能を実現させていた（例えば、特許文献１参照）。
【０００３】
以下、その加湿装置について図６を参照しながら説明する。
【０００４】
図６に示すように、加湿装置１０１は、外周に加湿フィルタ１０２を装着した円筒状の加湿ドラム１０３の一方端面を閉じた閉止部１０４と、他方を開口した開口部１０５とを有し、その開口部１０５から加湿ドラム１０３の内部に送風する加湿装置において、この加湿ドラム１０３の内部に、頂点１０６を風向方向に向けて風向体１０７を設けたことを特徴とするものである。
【先行技術文献】
【特許文献】
【０００５】
【特許文献１】実開昭５６−０２１１３８号公報
【発明の概要】
【発明が解決しようとする課題】
【０００６】
このような従来の加湿装置においては、円筒式の加湿フィルタの場合、回転により加湿フィルタが水槽の水で洗浄されるため、加湿フィルタへのスケールなどの付着は軽減され、長期間加湿性能を維持することができるが水槽のスケール成分濃度が加湿フィルタの洗浄により高まってしまうため、水槽のメンテナンスを頻繁に行う必要があるという課題を有していた。
【０００７】
そこで本発明は、上記従来の課題を解決するものであり、水槽部へのスケールの濃縮を軽減して、メンテナンス頻度が軽減されることを目的とする。
【課題を解決するための手段】
【０００８】
そして、この目的を達成するために、本発明は、室内の乾燥した空気を取入れる吸込口と室内に湿った空気を送る吹出口を有する本体ケースと、この本体ケース内に、前記吸込口と前記吹出口を連絡する風路に配設された送風装置と、水槽部と、前記水槽部に一定量の水を供給する給水用水タンクと、円筒状に形成し、その中心軸を前記水槽部内の水面に並行に前記中心軸よりも下部に位置する部分を浸漬する円筒状の気化フィルタと、前記気化フィルタの回転を可能にする回転手段とを備え、前記送風装置によって前記吸込口から吸い込まれた空気を、前記気化フィルタを通過させて、前記吹出口から吹き出す加湿装置において、自然吸上げ可能な材料を用いて形成したスケール集結部を前記水槽部内の水に浸漬することの無い一端を持つように、前記気化フィルタの内周壁に対して凸状にかつ接して設けることを特徴としたものであり、これにより所期の目的を達成するものである。
【発明の効果】
【０００９】
本発明によれば、室内の乾燥した空気を取入れる吸込口と室内に湿った空気を送る吹出口を有する本体ケースと、この本体ケース内に、前記吸込口と前記吹出口を連絡する風路に配設された送風装置と、水槽部と、前記水槽部に一定量の水を供給する給水用水タンクと、円筒状に形成し、その中心軸を前記水槽部内の水面に並行に前記中心軸よりも下部に位置する部分を浸漬する円筒状の気化フィルタと、前記気化フィルタの回転を可能にする回転手段とを備え、前記送風装置によって前記吸込口から吸い込まれた空気を、前記気化フィルタを通過させて、前記吹出口から吹き出す加湿装置において、自然吸上げ可能な材料を用いて形成したスケール集結部を前記水槽部内の水に浸漬することの無い一端を持つように、前記気化フィルタの内周壁に対して凸状にかつ接して設けるという構成にしたことにより、回転手段によって、風路側に位置させた気化フィルタの部分では、スケール集結部が自然吸い上げ機能によって、気化フィルタの水を吸収することとなり、気化フィルタに残留するスケールを水と共に吸収することになるので、気化フィルタに濃縮したスケールが残留することが抑制され、気化フィルタの浸漬した部分から水槽部の水へのスケールの移動が抑制される。
【００１０】
その結果、水槽部内および気化フィルタでのスケールの析出が抑制され、水槽部および気化フィルタの必要なメンテナンス頻度を抑制した加湿装置を提供することができる。
【図面の簡単な説明】
【００１１】
【図１】本発明の実施の形態１の加湿装置の斜視図
【図２】同加湿装置の断面Ｘでの構成を示す図
【図３】同加湿装置の断面Ｙでの構成を示す図
【図４】同実施の形態２の加湿装置の断面Ｙでの構成を示す図
【図５】同実施の形態３の加湿機能付空気清浄機の構成を示す図
【図６】従来技術の一例の断面を示す構成図
【発明を実施するための形態】
【００１２】
本発明の請求項１記載の加湿装置は、室内の乾燥した空気を取入れる吸込口と室内に湿った空気を送る吹出口を有する本体ケースと、この本体ケース内に、前記吸込口と前記吹出口を連絡する風路に配設された送風装置と、水槽部と、前記水槽部に一定量の水を供給する給水用水タンクと、円筒状に形成し、その中心軸を前記水槽部内の水面に並行に前記中心軸よりも下部に位置する部分を浸漬する円筒状の気化フィルタと、前記気化フィルタの回転を可能にする回転手段とを備え、前記送風装置によって前記吸込口から吸い込まれた空気を、前記気化フィルタを通過させて前記吹出口から吹き出す加湿装置において、自然吸上げ可能な材料を用いて形成したスケール集結部を前記水槽部内の水に浸漬することの無い一端を持つように、前記気化フィルタの内周壁に対して凸状にかつ接して設け、前記気化フィルタの水分および水分に含有するスケールを吸収するものである。
【００１３】
これにより、回転手段によって、風路側に位置させた気化フィルタの部分では、スケール集結部が自然吸い上げ機能によって、気化フィルタの水を吸収することとなり、気化フィルタに残留するスケールを水と共に吸収することになるので、気化フィルタに濃縮したスケールが残留することが抑制され、気化フィルタの浸漬した部分から水槽部の水へのスケールの移動が抑制される。
【００１４】
その結果、水槽部内および気化フィルタでのスケールの析出が抑制され、水槽部および気化フィルタの必要なメンテナンス頻度を抑制した加湿装置を提供することができる。
【００１５】
また、スケール集結部の一端は水槽部に浸漬することが無いため、スケール濃度が高くなるスケール集結部の一端から水槽部の水へのスケールの移動も抑制される。
【００１６】
また、スケール集結部の一端は水槽部に浸漬することが無いため、スケール濃度が高くなるスケール集結部の一端から水槽部の水へのスケールの移動も抑制される。また、請求項２記載の加湿装置は、スケール集結部が円周方向に略等間隔で複数個設けられることを特徴とするものである。
【００１７】
これにより、気化フィルタの回転位置に関わらず、スケール集結部の位置の流路への影響を低減することで、特にスケール集結部のスケール析出量が多くなった場合において、スケール集結部を設けた間の部分が主風路となるので、気化フィルタにおいて加湿風路を均等に確保でき、加湿量を安定させることができる。
【００１８】
また、請求項３記載の加湿装置は、スケール集結部が、気化フィルタの内側に脱着可能であることを特徴とするものである。
【００１９】
これにより、定期的にスケール集結部を、新しいものに交換することが可能になり、スケール集結部の働きを維持させて、水槽部および気化フィルタのメンテナンス頻度を少なくすることが可能になる。
【００２０】
また、請求項４記載の加湿装置は、スケール集結部の位置を検出する位置検出手段を備え、その検出信号によって気化フィルタのスケール集結部に接する部分が水槽部に浸漬しないよう、気化フィルタの回転位置を調整させた後に加湿装置を停止させることを特徴とするものである。
【００２１】
これにより、加湿機停止後に、スケール濃度が高いスケール集結部から水槽部内の水へのスケールの移動が抑制されて、加湿機停止中の水槽部のスケール濃度の上昇を抑制することが可能になる。
【００２２】
また、本発明の請求項５記載の加湿機能付空気清浄装置は、請求項１乃至４いずれかに記載の加湿装置の上流側に空気浄化フィルタを設けたことを特徴とするものである。
【００２３】
これにより、浄化された空気が気化フィルタを通過するため、気化フィルタに目詰まりなどが起き難くなることで気化フィルタの寿命を延ばし、水槽部のお手入れ性が向上し、メンテナンス頻度も軽減することができる加湿空気清浄機を提共することが可能になる。
【００２４】
以下、本発明の実施の形態について図面を参照しながら説明する。
【００２５】
（実施の形態１）
図１は加湿装置１１の斜視図、図２は図１の断面Ｘでの構成を示す図、図３は図１の断面Ｙでの構成を示す図である。
【００２６】
図１、図２および図３に示すように、加湿装置１１は、室内の乾燥した空気を取入れる吸込口１２と室内に湿った空気を送る吹出口１３を有する本体ケース１４を形成した箱体である。
【００２７】
図２に示すように本体ケース１４内には、前記吸込口１２と前記吹出口１３を連絡する風路に配設された送風装置１５と、水槽部１９と、前記水槽部１９に一定量の水を供給する給水用水タンク２０と、円筒状に形成し、その中心軸２１を前記水槽部１９内の水面に並行に配置して前記中心軸２１よりも下部に位置する部分を浸漬する円筒状の気化フィルタ２２と、前記気化フィルタ２２の回転を可能にする回転手段２３と、前記気化フィルタ２２と前記気化フィルタを並行に備えるためのフィルタフレーム２８によって構成される加湿手段２７を備えている。
【００２８】
気化フィルタ２２には、図３に示すように、自然吸上げ可能な材料を用いて形成したスケール集結部２４を内周壁２５から円筒の内側に向けて着脱自在に備えている。
【００２９】
スケール集結部２４は、水槽部１９の水に浸漬することの無い一端２６を持つように、前記気化フィルタ２２の内周壁２５に対して凸状にして接触させたものである。
【００３０】
また、スケール集結部２４が気化フィルタ２２の内周に略等間隔で複数個設けられる構成にしている。
【００３１】
本実施の形態の加湿手段２７は、気化フィルタ２２の回転により、図３のように気化フィルタ２２の下端側に位置する部分が水槽部１９の水に接触することで湿潤し、送風装置１５が発生した空気流が気化フィルタ２２の中心軸２１よりも上部に位置する部分を通過することで加湿を行うものである。
【００３２】
また、気化フィルタ２２の回転には、タイミングモータやステッピングモータなど既知のものを使用することができ、所定の時間も気化フィルタの特性に応じて自由に選択することが可能である。
【００３３】
なお、本実施形態では給水用水タンク２０を備えた加湿装置１１を示したが、給水用水タンク２０を設けず、水槽部１９に直接給水する仕様であってもよい。
【００３４】
上記構成において、回転手段２３によって、気化フィルタ２２の一部分は、水槽部１９に浸漬したときに水槽部１９と同等のスケール濃度の水を吸込むことになり、その後、中心軸２１よりも上部に位置する部分において風路側に位置させて通過する空気を加湿することになる。
【００３５】
このとき気化フィルタ２２の風路側に位置させた部分では、スケール集結部２４が自然吸い上げ機能によって、気化フィルタ２２の水を吸収することとなり、気化フィルタ２２に残留するスケールを水と共に吸収することになるので、気化フィルタ２２に濃縮したスケールが残留することを抑制するため、浸漬による気化フィルタ２２から水槽部１９の水へのスケールの移動が抑制される。
【００３６】
また、スケール集結部２４の一端２６は水槽部１９に浸漬することが無いため、スケール濃度が高くなるスケール集結部２４の一端２６から水槽部１９の水へのスケールの移動も抑制される。その結果、水槽部内および気化フィルタ２２でのスケールの濃縮および析出が抑制され、水槽部および気化フィルタの必要なメンテナンス頻度が抑制される。
【００３７】
なお、スケール集結部２４を強酸性カチオン交換樹脂などのイオン交換樹脂により構成することで、スケール中に含まれるカルシウムやマグネシウムイオンの集結スピードを向上させることができる。
【００３８】
また、スケール集結部２４は内周に略等間隔で複数個設けているので、気化フィルタ２２の回転位置に関わらず、スケール集結部２４の位置の流路への影響を低減することができる。特に、スケール集結部２４を設けた間の部分が主風路となるので、気化フィルタ２２の回転位置にかかわらず加湿風路を均等に確保でき、加湿量を安定させることができる。加えて、気化フィルタ２２のスケール析出分布をより均一にすることも可能になる。
【００３９】
また、スケール集結部２４は、気化フィルタ２２の内周壁２５に脱着可能である構成にされている。このような構成により、定期的にスケール集結部２４を、新しいものに交換することが可能になり、スケール集結部２４の働きを維持させて、水槽部および気化フィルタのメンテナンス頻度を少なくすることが可能になる。
【００４０】
なお、本実施の形態では、３つのスケール集結部２４で構成しているが、スケール集結部２４の個数は任意に設定して構わない。また、送風装置１５として軸流ファン（プロペラファン）を示したが、他に斜流ファンやターボファンが加湿手段２７の上に風路を設けることなく配置できるため本体ケース１４をコンパクトにするためには好ましい。
【００４１】
（実施の形態２）
図４は、図１の断面Ｙでの構成を示す図である。
【００４２】
図４において、図１、図２および図３と同様の構成要素については同一の符号を付し、その詳細な説明は省略する。
【００４３】
図４はスケール集結部２４付近のフィルタフレーム２８および吸込口１２付近の筐体に磁気スイッチ３０が搭載されている構成図である。
【００４４】
上記構成により、利用者が加湿装置１１を停止させた後に、２つの磁気スイッチ３０が近づいた時に初めて回転手段２３が完全に停止することによって、例えば図４に示すように、気化フィルタ２２のスケール集結部２４に接する部分が水槽部１９に浸漬しないような位置で加湿装置１１を停止させるため、加湿装置１１停止後に、スケール濃度が高いスケール集結部２４の一端から水槽部１９内の水へのスケールの移動が抑制されて、加湿装置１１の停止中の水槽部のスケール濃度の上昇を抑制することが可能になる。
【００４５】
（実施の形態３）
図５は加湿機能付空気清浄装置３１の分解斜視図である。
【００４６】
図５において、加湿機能付空気清浄装置３１は図１、図２、図３および図４に示した加湿装置１１の吸込口１２と気化フィルタ２２の間に空気浄化フィルタ３２を設けた構成となっており、図１、図２、図３および図４と同様の構成要素については同一の符号を付し、その詳細な説明は省略する。
【００４７】
ここで、空気浄化フィルタ３２は集塵フィルタまたは／および脱臭フィルタで構成されている。また、加湿手段２７は流入口１７の下方に設けられており、加湿手段２７から送風装置１５までに特別に風路を設ける必要がないため本体ケース１４をコンパクトにすることができる。
【００４８】
このような構成によれば、空気浄化フィルタ３２により浄化された空気を気化フィルタ２２に送ることができるため、気化フィルタ２２が汚染されることを抑制することができ、気化フィルタ２２に菌やカビが繁殖するのを抑制することができる。
【産業上の利用可能性】
【００４９】
本発明にかかる加湿装置および加湿機能付空気清浄装置は、水槽部のお手入れ性の向上および必要なメンテナンス頻度の抑制を可能とするものである。
【符号の説明】
【００５０】
１１  加湿装置
１２  吸込口
１３  吹出口
１４  本体ケース
１５  送風装置
１６  モータ
１７  流入口
１９  水槽部
２０  給水用水タンク
２１  中心軸
２２  気化フィルタ
２３  回転手段
２４  スケール集結部
２５  内周壁
２６  一端
２７  加湿手段
２８  フィルタフレーム
３０  磁気スイッチ
３１  加湿機能付空気清浄装置
３２  空気浄化フィルタ
１０１  加湿装置
１０２  加湿フィルタ
１０３  加湿ドラム
１０４  閉止部
１０５  開口部
１０６  頂点
１０７  風向体
【図１】
2015049003.tif 000003
【図２】
2015049003.tif 000004
【図３】
2015049003.tif 000005
【図４】
2015049003.tif 000006
【図５】
2015049003.tif 000007
【図６】
2015049003.tif 000008